(57)【要約】【課題】障子の開き角度を制限することなく枠体に対して障子を突き出すこと。【解決手段】枠体１０と障子２０との間にヒンジ３０，４０を介在させ、ヒンジ軸３１，４１の軸芯を中心として障子２０を枠体１０に対して開閉可能に支持させた建具において、ヒンジ３０，４０は、ヒンジ軸３１，４１を介して互いに回転可能に連結した第一取付部３２，４２及び第二取付部３３，４３を備え、第一取付部３２，４２が障子２０に取り付けられるとともに、第二取付部３３，４３が枠体１０に取り付けられるものであり、第二取付部３３，４３に対してヒンジ軸３１，４１を枠体１０の見込み方向に沿って移動可能に支持させた。【選択図】図１７
2017048634.tif 000002
【特許請求の範囲】
【請求項１】
枠体と障子との間にヒンジを介在させ、ヒンジ軸の軸芯を中心として前記障子を前記枠体に対して開閉可能に支持させた建具において、
前記ヒンジは、前記ヒンジ軸を介して互いに回転可能に連結した第一取付部及び第二取付部を備え、前記第一取付部が前記枠体及び前記障子のいずれか一方に取り付けられるとともに、前記第二取付部が前記枠体及び前記障子のいずれか他方に取り付けられるものであり、前記第二取付部に対して前記ヒンジ軸を前記枠体の見込み方向に沿って移動可能に支持させたことを特徴とする建具。
【請求項２】
前記ヒンジ軸は、軸芯に直交する方向に沿って延在するスライドガイドが基端部に固定され、かつ先端部に前記第一取付部を回転可能に支持したものであり、
前記第二取付部は、前記スライドガイドをその延在方向に沿って移動可能に収容するガイド孔を有し、前記ガイド孔が見込み方向に沿った状態で前記枠体及び前記障子のいずれか一方に取り付けたことを特徴とする請求項１に記載の建具。
【請求項３】
前記枠体の枠及び前記障子の框の間には、前記障子に設けたハンドルレバーの操作によって動作することにより前記ヒンジ軸の移動方向に沿って前記枠及び前記框を相対的に移動させるカム機構を設けたことを特徴とする請求項１に記載の建具。
【請求項４】
前記カム機構は、カム溝を有したプレート状を成すカムと、前記カムのカム溝に沿って案内されるカムフォロアとを備え、
前記カム溝は、少なくとも一方の端部が開放し、前記枠体に対して前記障子が突き出された後に前記カムフォロアが外部に逸脱するのを許容することを特徴とする請求項３に記載の建具。
【請求項５】
一方の縦枠と一方の縦框との間に前記ヒンジを設けるとともに、左右の縦枠と左右の縦框との間にそれぞれ同一方向に動作するように前記カム及び前記カムフォロアを設けたことを特徴とする請求項４に記載の建具。
【請求項６】
前記カム及び前記カムフォロアは、相対的に上下に移動することによって動作するものであり、
前記障子には、前記ハンドルレバーの操作に連動して前記框の長手方向に移動する連動部材が設けてあり、前記連動部材に前記カム及び前記カムフォロアのいずれか一方を連係させたことを特徴とする請求項５に記載の建具。
【請求項７】
前記枠体と前記障子との間には、いずれか一方に配設したガイドローラと、いずれか他方に配設し、前記枠体に対する前記障子の見込み方向に沿った移動を案内するローラ受けとを備えたローラガイド機構を設けたことを特徴とする請求項１に記載の建具。
【請求項８】
前記ガイドローラ及び前記ローラ受けを互いに上下となるように前記枠体及び前記障子に取り付けたことを特徴とする請求項７に記載の建具。
【発明の詳細な説明】
【技術分野】
【０００１】
本発明は、枠体に対してほぼ平行となるように障子を突き出し可能に支持させた建具に関するものである。
【背景技術】
【０００２】
建具には、枠体の上枠と障子の上框との間及び枠体の下枠と障子の下框との間が、それぞれ左右のリンクアームで連結されたものが提供されている。リンクアームは、例えば一端が軸を介して枠に回転可能に連結され、他端が軸を介して框に回転可能、かつスライド可能に支持されている。上記のように構成された建具では、一方のリンクアームの一端を中心として障子を回転させれば、枠体に対して障子を開くことができる。さらに、左右のリンクアームを回転させれば、枠体に対してほぼ平行となるように障子を突き出すことが可能である。従って、この建具によれば、例えば障子を室外側に開くように構成することにより、外気を効率良く室内に取り入れることができるようになる（例えば、特許文献１参照）。
【先行技術文献】
【特許文献】
【０００３】
【特許文献１】特開２０１２−１３６９２６号公報
【発明の概要】
【発明が解決しようとする課題】
【０００４】
しかしながら、上述の建具では、枠体と障子との間が左右ともリンクアームによって連結されているため、リンクアームの長さ以上に障子を開くことができないという課題がある。
【０００５】
本発明は、上記実情に鑑みて、障子の開き角度を制限することなく枠体に対して障子を突き出すことのできる建具を提供することを目的とする。
【課題を解決するための手段】
【０００６】
上記目的を達成するため、本発明に係る建具は、枠体と障子との間にヒンジを介在させ、ヒンジ軸の軸芯を中心として前記障子を前記枠体に対して開閉可能に支持させた建具において、前記ヒンジは、前記ヒンジ軸を介して互いに回転可能に連結した第一取付部及び第二取付部を備え、前記第一取付部が前記枠体及び前記障子のいずれか一方に取り付けられるとともに、前記第二取付部が前記枠体及び前記障子のいずれか他方に取り付けられるものであり、前記第二取付部に対して前記ヒンジ軸を前記枠体の見込み方向に沿って移動可能に支持させたことを特徴とする。
【０００７】
この発明によれば、ヒンジ軸を枠体の見込み方向に沿って移動させることで障子を突き出すようにしているため、障子をヒンジ軸の軸芯を中心として回転させることで障子を大きく開くことが可能となる。
【０００８】
また本発明は、上述した建具において、前記ヒンジ軸は、軸芯に直交する方向に沿って延在するスライドガイドが基端部に固定され、かつ先端部に前記第一取付部を回転可能に支持したものであり、前記第二取付部は、前記スライドガイドをその延在方向に沿って移動可能に収容するガイド孔を有し、前記ガイド孔が見込み方向に沿った状態で前記枠体及び前記障子のいずれか一方に取り付けたことを特徴とする。
【０００９】
この発明によれば、ヒンジ軸に設けたスライドガイドを第二取付部のガイド孔に移動可能に収容させるようにしているため、単純な構成によってヒンジ軸を枠体の見込み方向に沿って移動させることが可能となる。
【００１０】
また本発明は、上述した建具において、前記枠体の枠及び前記障子の框の間には、前記障子に設けたハンドルレバーの操作によって動作することにより前記ヒンジ軸の移動方向に沿って前記枠及び前記框を相対的に移動させるカム機構を設けたことを特徴とする。
【００１１】
この発明によれば、ハンドルレバーの操作によってカム及びカムフォロアが動作し、枠に対して障子を見込み方向に移動させることができる。
【００１２】
また本発明は、上述した建具において、前記カム機構は、カム溝を有したプレート状を成すカムと、前記カムのカム溝に沿って案内されるカムフォロアとを備え、前記カム溝は、少なくとも一方の端部が開放し、前記枠体に対して前記障子が突き出された後に前記カムフォロアが外部に逸脱するのを許容することを特徴とする。
【００１３】
この発明によれば、カムフォロアがカム溝に配置されている状態では障子の不用意な開放方向への移動が阻止され、一方、障子が突き出された後においてはカムフォロアを外部に逸脱させることで障子を開くことが可能となる。
【００１４】
また本発明は、上述した建具において、一方の縦枠と一方の縦框との間に前記ヒンジを設けるとともに、左右の縦枠と左右の縦框との間にそれぞれ同一方向に動作するように前記カム及び前記カムフォロアを設けたことを特徴とする。
【００１５】
この発明によれば、左右の縦枠と左右の縦框との間に設けたカム及びカムフォロアによって障子の見込み方向への移動が案内され、その後、縦框の長手方向に沿った軸芯を中心として障子を開くことが可能となる。
【００１６】
また本発明は、上述した建具において、前記カム及び前記カムフォロアは、相対的に上下に移動することによって動作するものであり、前記障子には、前記ハンドルレバーの操作に連動して前記框の長手方向に移動する連動部材が設けてあり、前記連動部材に前記カム及び前記カムフォロアのいずれか一方を連係させたことを特徴とする。
【００１７】
この発明によれば、框の長手方向に沿って移動する連動部材によってカム機構を動作させ、枠体に対して障子が見込み方向に沿って移動するようにしている。框の長手方向に沿って移動する連動部材については、大きな移動ストロークを容易に確保することができるため、例えば枠体に対する障子の見込み方向に沿った移動ストロークを容易に増大することができる。
【００１８】
また本発明は、上述した建具において、前記枠体と前記障子との間には、いずれか一方に配設したガイドローラと、いずれか他方に配設し、前記枠体に対する前記障子の見込み方向に沿った移動を案内するローラ受けとを備えたローラガイド機構を設けたことを特徴とする。
【００１９】
この発明によれば、ガイドローラ及びローラ受けが互いに当接することにより、枠体に対する障子の移動が正確に案内される。
【００２０】
また本発明は、上述した建具において、前記ガイドローラ及び前記ローラ受けを互いに上下となるように前記枠体及び前記障子に取り付けたことを特徴とする。
【００２１】
この発明によれば、ガイドローラ及びローラ受けが互いに当接することにより、障子の荷重を支持することができ、ヒンジへの負担を軽減することができる。
【発明の効果】
【００２２】
本発明によれば、ヒンジ軸を枠体の見込み方向に沿って移動させることで障子を突き出すようにしているため、障子をヒンジ軸の軸芯を中心として回転させることで障子を大きく開くことが可能となる。
【図面の簡単な説明】
【００２３】
【図１】図１は、本発明の実施の形態である建具を室内側から見た斜視図である。
【図２】図２は、図１に示した建具を室内側から見た破断図である。
【図３】図３は、図１に示した建具に適用する障子の分解斜視図である。
【図４】図４は、図１に示した建具に適用する障子を室内側から見た図である。
【図５】図５は、図４に示した障子の平面図である。
【図６】図６は、図４に示した障子を吊り元側から見た側面図である。
【図７】図７は、図４に示した障子を戸先側から見た側面図である。
【図８】図８は、図４に示した障子に適用するハンドルレバーを示したもので、（ａ）は室内側から見た図、（ｂ）は側面一部破断図、（ｃ）は障子の框への取付面から見た図である。
【図９】図９は、図１に示した建具に適用する枠体を室内側から見た図である。
【図１０】図１０は、図９に示した枠体の上枠を下から見た図である。
【図１１】図１１は、図９に示した枠体の下枠を上から見た図である。
【図１２】図１２は、図９に示した枠体の吊り元枠を枠体の内周側から見た図である。
【図１３】図１３は、図９に示した枠体の戸先枠を枠体の内周側から見た図である。
【図１４】図１４は、図１に示した建具に適用する上方ヒンジを横から見たもので、（ａ）はヒンジ軸に設けたスライドガイドが第二取付部に対して最も退行した状態の半断面図、（ｂ）はヒンジ軸に設けたスライドガイドが第二取付部に対して最も突出した状態の半断面図である。
【図１５】図１５は、図１に示した建具に適用する下方ヒンジを上から示したもので、（ａ）はヒンジ軸に設けたスライドガイドが第二取付部に対して最も退行した状態の半断面図、（ｂ）はヒンジ軸に設けたスライドガイドが第二取付部に対して最も突出した状態の半断面図である。
【図１６】図１６は、図１５に示した下方ヒンジを横から見たもので、（ａ）はヒンジ軸に設けたスライドガイドが第二取付部に対して最も退行した状態の半断面図、（ｂ）はヒンジ軸に設けたスライドガイドが第二取付部に対して最も突出した状態の半断面図である。
【図１７】図１７は、図１に示した建具を示したもので、（ａ）はヒンジ軸に設けたスライドガイドが第二取付部に対して最も退行した状態の要部横断面図、（ｂ）はヒンジ軸に設けたスライドガイドが第二取付部に対して最も突出した状態の要部横断面図、（ｃ）は（ｂ）に示す状態から障子を開いた状態の要部横断面図である。
【図１８】図１８は、図１に示した建具に適用するカム機構及びローラガイド機構を示したもので、（ａ）は枠体に対して障子が閉じた状態の図、（ｂ）は枠体に対して障子が突き出た状態の図である。
【図１９】図１９は、図１に示した建具に適用するカム機構及び全半開選択機構を示したもので、全半開選択機構によって全開を選択した状態の図である。
【図２０】図２０は、図１に示した建具に適用するカム機構及び全半開選択機構を示したもので、全半開選択機構によって半開を選択した状態の図である。
【発明を実施するための形態】
【００２４】
以下、添付図面を参照しながら本発明に係る建具の好適な実施の形態について詳細に説明する。
【００２５】
図１〜図３は、本発明の実施の形態である建具を示したものである。ここで例示する建具は、枠体１０に対して障子２０を室内側にほぼ平行に突き出した後、さらに室内側に向けて開くことができるように構成した「平行突き出し内開き窓」と称されるものである。枠体１０は、上枠１１、下枠１２及び左右の縦枠１３，１４を四周枠組みすることによって構成したものである。障子２０は、ガラス板等の矩形状を成す面材２１の四周に上框２２、下框２３及び左右の縦框２４，２５を装着することによって構成したものである。枠体１０については、左右の縦枠１３，１４の上下両端部間にそれぞれ上枠１１及び下枠１２を配置することによって構成してある。障子２０については、框２２，２３，２４，２５の各端部に４５°の傾斜面を形成し、互いに傾斜面を介して相互に接合するようにしている。枠体１０を構成するそれぞれの枠１１，１２，１３，１４及び障子２０を構成するそれぞれの框２２，２３，２４，２５は、アルミニウム合金や樹脂によって成形した押し出し形材であり、全長にわたってほぼ一様の断面形状を有している。本実施の形態では、上枠１１、下枠１２及び左右の縦枠１３，１４が同一の断面形状を有し、上框２２、下框２３及び左右の縦框２４，２５が同一の断面形状を有するものを適用している。特に、障子２０の上框２２、下框２３及び左右の縦框２４，２５には、図５〜図７に示すように、それぞれ室内に臨む見付け面を障子２０の外周側に延長するように外周カバーヒレ部２２ａ，２３ａ，２４ａ，２５ａが設けてあるとともに、外周カバーヒレ部２２ａ，２３ａ，２４ａ，２５ａの延在端部において室外に臨む部位には外周タイト材２６が装着してある。これに対して枠体１０の上枠１１、下枠１２及び左右の縦枠１３，１４には、図１２及び図１３に示すように、それぞれ室外に臨む見付け面を枠体１０の内周側に延長するように内周カバーヒレ部１１ａ，１２ａ，１３ａ，１４ａが設けてあるとともに、内周カバーヒレ部１１ａ，１２ａ，１３ａ，１４ａの延在端部において室内に臨む部位には内周タイト材１５が装着してある。
【００２６】
この建具には、図２及び図３に示すように、枠体１０と障子２０との間に上方ヒンジ３０及び下方ヒンジ４０が設けてある。上方ヒンジ３０及び下方ヒンジ４０は、枠体１０に対して障子２０を回転可能に支持するものである。本実施の形態では、図１４〜図１６に示すように、ヒンジ軸３１，４１を介して互いに回転可能に連結した第一取付部３２，４２及び第二取付部３３，４３を備えて上方ヒンジ３０及び下方ヒンジ４０がそれぞれ構成してある。
【００２７】
ヒンジ軸３１，４１は、円柱状を成すもので、基端部にスライドガイド３４，４４を備えている。スライドガイド３４，４４は、ヒンジ軸３１，４１の軸芯に対して直交する方向に延在する直方体状の部分である。第一取付部３２，４２及び第二取付部３３，４３は、それぞれブロック状を成すものである。第一取付部３２，４２には摺動孔３２ａ，４２ａが設けてある一方、第二取付部３３，４３にはガイド孔３３ａ，４３ａ、ピン挿通孔３３ｂ，４３ｂ及びボール収容孔３３ｃ，４３ｃが設けてある。摺動孔３２ａ，４２ａは、断面が円形の孔であり、ヒンジ軸３１，４１の円柱状を成す先端部を回転可能に収容することが可能である。ガイド孔３３ａ，４３ａは、断面が矩形の貫通孔であり、スライドガイド３４，４４をその延在方向に沿って移動可能に収容することが可能である。ピン挿通孔３３ｂ，４３ｂは、ガイド孔３３ａ，４３ａの延在方向に沿い、かつ両端が閉じた溝状の切欠である。このピン挿通孔３３ｂ，４３ｂは、ガイド孔３３ａ，４３ａに連通するとともに第二取付部３３，４３の外表面に開口している。ボール収容孔３３ｃ，４３ｃは、ガイド孔３３ａ，４３ａの延在方向に対して直交するように延在した円柱状の孔である。ボール収容孔３３ｃ，４３ｃには、その内部に位置決めボール３５，４５及び付勢バネ３６，４６が収容してある。位置決めボール３５，４５は、ボール収容孔３３ｃ，４３ｃに収容可能となる外径の剛性を有した球体である。付勢バネ３６，４６は、鋼線等の線材をコイル状に巻回することによって構成したもので、ボール収容孔３３ｃ，４３ｃに装着した栓部材３７，４７と位置決めボール３５，４５との間に圧縮した状態で収容してある。
【００２８】
本実施の形態の上方ヒンジ３０及び下方ヒンジ４０では、スライドガイド３４，４４を第二取付部３３，４３のガイド孔３３ａ，４３ａに収容した後、ピン挿通孔３３ｂ，４３ｂを介してスライドガイド３４，４４にガイドピン３８，４８が設けられる。この状態においては、ピン挿通孔３３ｂ，４３ｂの範囲内においてヒンジ軸３１，４１がスライドガイド３４，４４の延在方向に沿って移動可能となる状態でスライドガイド３４，４４が第二取付部３３，４３に支持されることになる。図からも明らかなように、スライドガイド３４，４４には、２カ所に位置決め凹部３４ａ，４４ａが設けてある。位置決め凹部３４ａ，４４ａは、図１４の（ａ）、図１５の（ａ）に示すように、第二取付部３３，４３に対してスライドガイド３４，４４を最も退行させた場合にボール収容孔３３ｃ，４３ｃに対向する部位と、図１４の（ｂ）、図１５の（ｂ）に示すように、第二取付部３３，４３に対してスライドガイド３４，４４を最も突出させた場合にボール収容孔３３ｃ，４３ｃに対向する部位とに設けたもので、ボール収容孔３３ｃ，４３ｃに収容した位置決めボール３５，４５の一部を受け入れることのできる大きさに形成してある。すなわち、上方ヒンジ３０及び下方ヒンジ４０では、スライドガイド３４，４４が最も退行した状態及びスライドガイド３４，４４が最も突出した状態にある場合には、位置決め凹部３４ａ，４４ａに位置決めボール３５，４５の一部が収容され、かつ付勢バネ３６，４６の付勢力によってその状態が維持されることになる。付勢バネ３６，４６の付勢力に抗して位置決めボール３５，４５を位置決め凹部３４ａ，４４ａから逸脱させるだけの外力を付与すれば、再び第二取付部３３，４３に対してスライドガイド３４，４４を移動させることが可能である。
【００２９】
上述の構成を有する上方ヒンジ３０は、ヒンジ軸３１の円柱状を成す先端部を第一取付部３２の摺動孔３２ａに挿通させた状態で、図４、図６に示すように、第一取付部３２を障子２０の一方の縦框（以下、２つの縦框２４，２５を区別する場合に「吊り元框２４」といい、もう一方の縦框を「戸先框２５」という）において縦枠（以下、２つの縦枠１３，１４を区別する場合に「吊り元枠１３」といい、もう一方の縦枠を「戸先枠１４」という）に対向する見込み面に取り付ける一方、図９、図１２に示すように、第二取付部３３を吊り元枠１３において吊り元框２４に対向する見込み面に取り付けるようにしている。このとき、ヒンジ軸３１の軸芯が吊り元枠１３の延在方向に沿って配置され、かつスライドガイド３４が枠体１０の見込み方向に沿って室内側に突出する向きとなるように第二取付部３３が吊り元枠１３に取り付けてある。本実施の形態では、特に、第一取付部３２の摺動孔３２ａに対して上下からそれぞれ第二取付部３３のヒンジ軸３１を挿通することによって上方ヒンジ３０が構成してあり、２つの第二取付部３３が吊り元枠１３に取り付けてある。
【００３０】
同様に、下方ヒンジ４０は、ヒンジ軸４１の円柱状を成す先端部を第一取付部４２の摺動孔４２ａに挿通させた状態で、図４、図６に示すように、第一取付部４２を吊り元框２４の下端部において吊り元枠１３に対向する見込み面に取り付ける一方、図９、図１１に示すように、第二取付部４３を下枠１２において下框２３に対向する見込み面に取り付けるようにしている。このとき、ヒンジ軸４１の軸芯が上方ヒンジ３０のヒンジ軸３１と同一軸芯上に配置され、かつスライドガイド４４が枠体１０の見込み方向に沿って室内側に突出する向きとなるように第二取付部４３が下枠１２に取り付けてある。
【００３１】
上記のようにして枠体１０と障子２０との間に上方ヒンジ３０及び下方ヒンジ４０を設けた建具では、図１７の（ａ）〜図１７の（ｃ）に示すように、第二取付部３３，４３に対してスライドガイド３４，４４を移動させることにより、ヒンジ軸３１，４１が枠体１０の見込み方向に沿って移動し、枠体１０に対して障子２０が収納された状態と室内側に突き出た状態とに位置を変更することができる。すなわち、図１７の（ａ）に示すように、第二取付部３３，４３に対してスライドガイド３４，４４を退行させた場合には、ヒンジ軸３１，４１が吊り元枠１３の室内に臨む見付け面からわずかに突出した位置に配置され、枠体１０の内部に障子２０が収納されることになる。このとき、障子２０の上框２２、下框２３及び左右の縦框２４，２５に設けたそれぞれの外周カバーヒレ部２２ａ，２３ａ，２４ａ，２５ａは、上方ヒンジ３０及び下方ヒンジ４０を覆うとともに、上枠１１、下枠１２及び左右の縦枠１３，１４において室内に臨む見付け面の一部を覆った状態にあり、外周タイト材２６がそれぞれの枠１１，１２，１３，１４の見付け面に当接している。同様に、枠体１０の上枠１１、下枠１２及び左右の縦枠１３，１４に設けたそれぞれの内周カバーヒレ部１１ａ，１２ａ，１３ａ，１４ａは、上方ヒンジ３０及び下方ヒンジ４０を覆うとともに、上框２２、下框２３及び左右の縦框２４，２５において室外に臨む見付け面の一部を覆った状態にあり、内周タイト材１５がそれぞれの框２２，２３，２４，２５の見付け面に当接している。従って、障子２０が閉じた状態では、室内側及び室外側から上方ヒンジ３０及び下方ヒンジ４０が視認されることがなく、外観品質の向上を図ることができるばかりか、枠１１，１２，１３，１４と障子２０との間の全周にわたって外周タイト材２６及び内周タイト材１５を介在させることができ、気密性や水密性の点で有利となる。
【００３２】
この状態から枠体１０に対して障子２０を室内側に移動させるように外力を付与すると、図１７の（ｂ）に示すように、第二取付部３３，４３に対してスライドガイド３４，４４が室内側に移動し、枠体１０に対して障子２０を室内側に突き出すことが可能となる。この状態においては、障子２０に設けた外周タイト材２６が枠１１，１２，１３，１４の見付け面から離隔するとともに、枠体１０に設けた内周タイト材１５が框２２，２３，２４，２５の見付け面から離隔することになり、枠１１，１２，１３，１４と框２２，２３，２４，２５との隙間を通じて室外と室内との間の通気が可能となる。
【００３３】
さらに、この状態からヒンジ軸３１，４１の軸芯を中心として枠体１０に対して障子２０を室内側に回転させれば、図１７の（ｃ）に示すように、障子２０を室内側に開くことができ、枠体１０の全面を通じて室内と室外との間の通気が可能となる。このとき、障子２０が室内側に突出した状態にあるため、吊り元框２４の外周カバーヒレ部２４ａが吊り元枠１３の見付け面に干渉することがない。このように、上方ヒンジ３０及び下方ヒンジ４０によって枠体１０に支持させた障子２０にあっては、枠体１０との間に開き角度を制限する構成が存在しないため、障子２０の開き角度を大きく確保することができるようになる。
【００３４】
なお、図１７の（ｃ）に示す状態から障子２０を閉じる方向に回転させ、さらに障子２０を室外側に移動させれば、再び図１７の（ａ）に示す状態に復帰し、枠体１０に対して障子２０を閉じることが可能となる。
【００３５】
以上、本発明の特徴部分である上方ヒンジ３０及び下方ヒンジ４０の構成及び作用について説明したが、実際の建具として用いる場合には、枠体１０に対して障子２０を見込み方向に移動するための構成を備えることが好ましい。以下には、枠体１０に対して障子２０を見込み方向に移動するための具体的な構成の一例について詳述する。すなわち、上述の建具には、図２及び図３に示すように、枠体１０と障子２０との間にローラガイド機構５０が設けてあるとともに、障子２０の戸先框２５に中間作動装置６０が設けてある。
【００３６】
ローラガイド機構５０は、枠体１０に対する障子２０の見込み方向に沿った移動を案内するためのものである。本実施の形態では、図４〜図７に示すように、障子２０の上框２２及び左右の縦框２４，２５にローラ受け５１を設けるとともに、図９、図１０、図１２、図１３に示すように、枠体１０の上枠１１及び左右の縦枠１３，１４にガイドローラ５２を設けることによってローラガイド機構５０が構成してある。ローラ受け５１は、略矩形の外形を有したブロック状部材であり、ガイドとなる面が框２２，２４，２５の長手方向に直交した状態で上框２２及び左右の縦框２４，２５において枠１１，１３，１４に対向する見込み面に固定してある。ガイドローラ５２は、ローラベース５３に対して回転可能に支持させたものである。個々のガイドローラ５２は、回転軸５２ａの軸芯が見込み面に直交し、かつ周面が対応する框２２，２４，２５のローラ受け５１に当接する状態でローラベース５３を介して上枠１１及び左右の縦枠１３，１４において框２２，２４，２５に対向する見込み面に固定してある。図２に示すように、縦枠１３，１４に固定したガイドローラ５２は、ローラ受け５１の下面をガイド面５１ａとしてローラ受け５１に当接し、上枠１１に固定したガイドローラ５２は、ローラ受け５１の一方の側面をガイド面５１ａとしてローラ受け５１に当接している。図１８の（ａ）及び図１８の（ｂ）に示すように、ローラガイド機構５０は、枠体１０に対して障子２０を見込み方向に沿って移動する間、常にローラ受け５１とガイドローラ５２とが当接するようにそれぞれの固定位置が設定してある。
【００３７】
上述のローラガイド機構５０を備えた建具によれば、ガイドローラ５２の周面がローラ受け５１のガイド面５１ａに沿って走行することになり、枠体１０に対する障子２０の見込み方向に沿った移動が正確に案内される。従って、枠体１０に対して障子２０を見込み方向に沿って移動させた場合にも、枠体１０と障子２０との間に上下左右の位置ずれが生じるおそれがない。しかも、縦枠１３，１４と縦框２４，２５との間に設けたローラガイド機構５０によれば、障子２０の荷重を支持することができるため、上方ヒンジ３０及び下方ヒンジ４０のスライドガイド３４，４４を第二取付部３３，４３のガイド孔３３ａ，４３ａに対して移動させる際に障子２０の荷重が加えられることがない。従って、重量の大きな障子２０を適用した場合にも、上方ヒンジ３０や下方ヒンジ４０にかじりや偏摩耗等の問題や損傷を来すおそれがなく、長期にわたって障子２０を枠体１０に対して見込み方向に移動させることができるようになる。
【００３８】
中間作動装置６０は、障子２０の戸先框２５に設けたハンドルレバー７０の回転操作を戸先框２５の長手方向に沿った移動に変換するもので、ピニオンギヤ６１を備えている。ハンドルレバー７０は、図８に示すように、ハンドルベース７１に対して回転可能に配設したもので、ハンドルレバー７０の回転軸芯が戸先框２５の見付け面に対してほぼ直交する状態で、ハンドルベース７１を介して戸先框２５の室内に臨む見付け面に取り付けてある。図８の（ｃ）に示すように、ハンドルベース７１とハンドルレバー７０との間には、ラッチ機構７２が設けてある。ラッチ機構７２は、ハンドルベース７１に対するハンドルレバー７０の回転角度を規定するものである。本実施の形態では、ハンドルレバー７０の出力軸７０ａに設けた位置決めプーリ７２ａと、ハンドルベース７１に設けた位置決め突起７２ｂとを備えてラッチ機構７２が構成してある。位置決めプーリ７２ａは、ハンドルレバー７０の出力軸７０ａとともに回転するもので、外周面に複数のラッチ凹部７２ｃを有している。ラッチ凹部７２ｃは、位置決めプーリ７２ａの周方向に沿って互いに等間隔となる位置に形成した略台形状の凹部である。位置決め突起７２ｂは、位置決めプーリ７２ａの外周となる位置に位置決めプーリ７２ａの回転中心に向けて移動可能に配設したもので、位置決めプーリ７２ａのラッチ凹部７２ｃに嵌合することのできる形状に構成してある。位置決め突起７２ｂとハンドルベース７１との間には位置決め突起７２ｂを位置決めプーリ７２ａの外周面に向けて付勢するラッチバネ７２ｄが設けてある。本実施の形態では、図８の（ａ）に示すように、ハンドルベース７１からハンドルレバー７０の先端部が下方に延在するように配置された状態を初期状態として位置決め突起７２ｂが位置決めプーリ７２ａのラッチ凹部７２ｃに嵌合し、かつこの初期状態からハンドルレバー７０を反時計回りに４５°回転させるごとに、位置決め突起７２ｂが位置決めプーリ７２ａのラッチ凹部７２ｃに嵌合するようにラッチ凹部７２ｃが設けてある。
【００３９】
ピニオンギヤ６１は、図２、図４及び図７に示すように、ケース６２の内部に回転可能に配設した外周ギヤであり、中心となる部分にハンドルレバー７０の出力軸７０ａが嵌合している。ピニオンギヤ６１の一部は、戸先框２５において戸先枠１４に対向する見込み面から外部に突出した状態にあり、ラック部材６３のラック６３ａに歯合している。ラック部材６３は、戸先框２５の長手方向に沿ってのみ移動可能に配設したものである。図２及び図３に示すように、このラック部材６３の上下両端部には、それぞれ連動部材８０が連結してある。連動部材８０は、ラック部材６３と同様、戸先框２５の長手方向に沿ってのみ移動可能に配設したものである。ラック部材６３の下端部に連結した連動部材８０は、戸先框２５の下端部で終端している。これに対してラック部材６３の上端部に連結した連動部材８０は、コーナードライブ８１を介して上框２２の連動部材８０に連結し、さらにコーナードライブ８１を介して吊り元框２４の連動部材８０に連結してある。コーナードライブ８１は、図２及び図４に示すように、略直角に屈曲したケース８１ａの内部に帯状の弾性金属プレート８１ｂを湾曲状、かつ長手方向に沿ってスライド可能となるように収容したもので、互いに直角方向に延在する連動部材８０の間を円滑にスライド可能に連結することが可能である。
【００４０】
上述した中間作動装置６０では、ハンドルレバー７０を操作してピニオンギヤ６１を反時計回りに回転させると、戸先框２５の連動部材８０が下方に向けて移動する。この連動部材８０の移動は、コーナードライブ８１を介して伝達され、上框２２の連動部材８０が戸先框２５に向けて移動するとともに、吊り元框２４の連動部材８０が上方に向けて移動する。ハンドルレバー７０を逆向きに操作すれば、ピニオンギヤ６１が時計回りに回転し、戸先框２５の連動部材８０が上方に向けて移動し、かつ上框２２の連動部材８０が吊り元框２４に向けて移動するとともに、吊り元框２４の連動部材８０が下方に向けて移動することになる。上述したハンドルレバー７０が初期状態にある場合、戸先框２５の連動部材８０は最も上方に配置された状態となる。初期状態から反時計回りにハンドルレバー７０を回転させると、戸先框２５の連動部材８０が漸次下方に移動し、ハンドルレバー７０が１８０°の位置に達した時点で戸先框２５の連動部材８０が最も下方に配置された状態となる。
【００４１】
さらに、建具には、枠体１０の障子２０との間にカム機構９０が設けてある。カム機構９０は、ハンドルレバー７０が操作された場合に連動部材８０に連動し、枠体１０に対して障子２０を見込み方向に移動させるためのものである。本実施の形態では、カム溝９１ａを有したプレート状を成すカム９１と、カム９１のカム溝９１ａに沿って移動することが可能なカムローラ９２ａを有したカムフォロア９２とを備えてカム機構９０が構成してある。図２及び図３に示すように、カム機構９０は、戸先枠１４と戸先框２５との間の上下２カ所及び吊り元枠１３と吊り元框２４との間の上下２カ所にそれぞれ配設してある。図６及び図７に示すように、カム機構９０のカム９１は障子２０の縦框２４，２５に設けた連動部材８０に連結してあり、図１２及び図１３に示すように、カム機構９０のカムフォロア９２は、枠体１０の左右の縦枠１３，１４に固定してある。
【００４２】
図６及び図７に示すように、カム９１のカム溝９１ａは、一方の端部が閉塞する一方、他方の端部が開放したもので、中間部が縦框２４，２５の長手方向に対して傾斜している。具体的には、図７に示すように、戸先框２５に設けたカム９１のカム溝９１ａは、いずれも下端が閉塞し、中間部が上方に向けて漸次室外側となるように傾斜し、上端が室外側に開放している。一方、吊り元框２４に設けたカム９１のカム溝９１ａは、図６に示すように、いずれも上端が閉塞し、中間部が下方に向けて漸次室外側となるように傾斜し、下端が室外側に開放している。カム溝９１ａの閉塞した端部から開放した端部までの見込み方向に沿った寸法は、枠体１０に対する障子２０の突き出し量に相当する長さに設定してある。また、カム溝９１ａの中間部において縦框２４，２５の長手方向に沿った寸法は、ハンドルレバー７０が初期状態から１８０°回転した際の連動部材８０の移動距離とほぼ等しくなるように設定してある。それぞれのカム９１は、周囲が縦框２４，２５の見込み面に向けて屈曲しており、カムフォロア９２のカムローラ９２ａがカム溝９１ａに挿通可能となるように連動部材８０との間に隙間が確保してある。
【００４３】
図１２及び図１３に示すように、カムフォロア９２は、矩形状を成すベースプレート９２ｂの一側縁部にカムローラ９２ａを備えたもので、ベースプレート９２ｂを介して縦枠１３，１４の見込み面に固定してある。カムローラ９２ａは、回転軸芯がベースプレート９２ｂに直交するように取り付けてある。図からも明らかなように、戸先枠１４に設けたカムフォロア９２及び吊り元枠１３に設けたカムフォロア９２は、いずれもカムローラ９２ａが室内側の縁部に位置するように固定してある。カムフォロア９２を設ける位置は、枠体１０に対して障子２０が閉じた状態にあり、かつハンドルレバー７０が初期状態にある場合に、それぞれのカム溝９１ａの閉塞した端部にカムローラ９２ａが配置されるように設定してある。
【００４４】
上述のカム機構９０では、ハンドルレバー７０が初期状態にあり、図１７の（ａ）に示すように、枠体１０に対して障子２０が閉じた状態にある場合、図１８の（ａ）に示すように、カムフォロア９２のカムローラ９２ａがカム溝９１ａの閉塞した端部に位置している。
【００４５】
この状態からハンドルレバー７０を回転させると、戸先框２５の連動部材８０が図中において順次下方に移動し、カム溝９１ａの傾斜した中間部分がカムフォロア９２のカムローラ９２ａに当接することになる。この結果、図１８の（ｂ）に示すように、枠体１０に対して障子２０が室内に向けて突き出された状態となり、図１７の（ｂ）に示すように、上方ヒンジ３０及び下方ヒンジ４０においては、それぞれの第二取付部３３，４３に対してスライドガイド３４，４４が室内側に移動する。上述したように、カム９１のカム溝９１ａは、端部が室外側に向けて開放しており、図１８の（ｂ）に示すように、ハンドルレバー７０を１８０°回転させた際にはカムフォロア９２のカムローラ９２ａがカム溝９１ａの開放端に位置した状態にある。従って、この状態からハンドルレバー７０を介して障子２０を室内側に引っ張れば、図１７の（ｃ）に示すように、上方ヒンジ３０及び下方ヒンジ４０のヒンジ軸３１，４１を中心として障子２０を室内側に開くことが可能になる。
【００４６】
一方、上述の状態から障子２０を閉じると、カムフォロア９２のカムローラ９２ａがカム溝９１ａの開放端部に配置されることになる。従って、ハンドルレバー７０を初期状態に向けて回転させると、戸先框２５の連動部材８０が図中において順次上方に移動し、カム溝９１ａの傾斜した中間部分がカムフォロア９２のカムローラ９２ａに当接することになる。この結果、図１８の（ａ）に示すように、枠体１０に対して障子２０が室外に向けて移動し、再び図１８の（ａ）に示すように、障子２０が閉じた状態に復帰することになる。
【００４７】
上述したように、建具の枠体１０と障子２０との間には、３カ所にローラガイド機構５０が設けてある。従って、カム機構９０が動作する間において枠体１０と障子２０との間に上下左右の位置ずれが招来されることはなく、ハンドルレバー７０を回転させれば、枠体１０に対して障子２０を見込み方向に沿って確実に移動させることが可能となる。
【００４８】
なお、吊り元框２４においては、連動部材８０の移動方向が上下で異なるが、戸先框２５と同様にカム機構９０が動作し、枠体１０に対して障子２０が見込み方向に移動することになる。
【００４９】
またさらに、上述の建具には、図２に示すように、戸先枠１４と戸先框２５との間に全半開選択機構１００が設けてある。全半開選択機構１００は、枠体１０に対する障子２０の開き角度を制限するか否かを選択するためのものである。本実施の形態では、図１３に示すように、戸先枠１４に規制レバー１０１を取り付けるとともに、戸先框２５に規制ガイドレール１０２及び規制スライド部材１０３を設けることによって全半開選択機構１００が構成してある。
【００５０】
規制レバー１０１は、基端部を介してレバーベース１０１ａに回転可能に支持させたもので、規制レバー１０１の回転軸芯が戸先枠１４の見込み面に略直交する状態でレバーベース１０１ａを介して戸先枠１４の見込み面に固定してある。規制レバー１０１の先端部には、円柱状の係合ピン１０１ｂが戸先框２５に向けて突設してある。
【００５１】
規制ガイドレール１０２は、規制レバー１０１の係合ピン１０１ｂを移動可能に収容することのできるガイド溝１０２ａを有したもので、ガイド溝１０２ａが戸先框２５の長手方向に沿った状態で戸先框２５に固定してある。ガイド溝１０２ａは、下端が開口する一方、上端が閉塞したものである。規制ガイドレール１０２を取り付ける位置は、枠体１０に対して障子２０を閉じた場合に、ガイド溝１０２ａの下端開口よりもわずかに下方に係合ピン１０１ｂが位置するように設定してある。
【００５２】
規制スライド部材１０３は、規制ガイドレール１０２に対してスライド可能に支持させたもので、規制スライド部材１０３が戸先框２５の長手方向に沿ってスライドする状態で規制ガイドレール１０２に配設してある。規制スライド部材１０３には、上端部にロック溝１０３ａが設けてある。ロック溝１０３ａは、規制ガイドレール１０２のガイド溝１０２ａとほぼ同じ幅を有したもので、上端が開口する一方、下端が閉塞したものである。このロック溝１０３ａは、上端の開口がガイド溝１０２ａの下端開口に対向している。規制スライド部材１０３が下方に配置された場合には、規制ガイドレール１０２の下端と規制スライド部材１０３の上端との間に規制レバー１０１の係合ピン１０１ｂが見込み方向に沿って移動することのできる隙間が確保される。一方、規制スライド部材１０３が上方に配置された場合には、規制ガイドレール１０２の下端に規制スライド部材１０３の上端が当接するとともに、ガイド溝１０２ａとロック溝１０３ａとが互いに隙間なく連通した状態となる。なお、図２に示すように、規制スライド部材１０３には、戸先框２５の室内に臨む見付け面にスライド操作部１０４が設けてある。このスライド操作部１０４は、障子２０を閉じた状態で規制スライド部材１０３を上下に移動させるためのものである。
【００５３】
図１９に示すように、規制スライド部材１０３を下方に配置した状態（全開選択）で障子２０を開いた場合には、規制ガイドレール１０２よりも下方に位置した規制レバー１０１の係合ピン１０１ｂが規制スライド部材１０３との隙間を通じてそのまま見込み方向に移動することになる。従って、枠体１０と障子２０との間には、障子２０の開き角度を規制するものが存在せず、障子２０を全開することが可能である。
【００５４】
一方、規制スライド部材１０３を上方に配置した場合（半開選択）には、規制レバー１０１の係合ピン１０１ｂが規制スライド部材１０３のロック溝１０３ａに収容された状態となる。従って、この状態から障子２０を開いた場合には、図２０に示すように、ロック溝１０３ａに収容されていた係合ピン１０１ｂが規制ガイドレール１０２のガイド溝１０２ａに挿通された状態となる。係合ピン１０１ｂは、障子２０の開き角度が大きくなるにつれてガイド溝１０２ａの上方に移動し、やがてガイド溝１０２ａの閉塞した上端に達し、以降の移動が阻止される。この結果、障子２０の開く方向への移動は、係合ピン１０１ｂがガイド溝１０２ａの上端に達した時点に停止されることになり、枠体１０に対する障子２０の開き角度が制限される。図２０に示す状態から障子２０を閉じ、規制スライド部材１０３を下方に配置すれば、再び障子２０を全開することが可能となる。
【００５５】
なお、図２中の符号１１０は、下枠１２と下框２３との間に設けたストッパアームである。このストッパアーム１１０は、障子２０の全開位置を規定するためのもので、図２、図３、図９、図１１に示すように、一方の端部が下枠１２の見込み面に回転可能に取り付けてあるとともに、他方の端部が下框２３の見込み面に回転可能に取り付けたものである。ストッパアーム１１０の全長は、規制レバー１０１の全長よりも大きな長さに設定してある。
【００５６】
なお、上述した実施の形態では、室内側に突き出した後、室内側に開くように構成した建具を例示しているが、室外側に突き出した後に室外側に開くように構成しても良い。また、縦枠１３，１４の長手方向に沿った軸芯を中心として障子２０を回転させるようにしているが、上枠１１や下枠１２の長手方向に沿った軸芯を中心として障子２０を回転させるように構成しても構わない。
【００５７】
また、上述した実施の形態では、ヒンジ軸３１，４１が移動可能に配設された第二取付部３３，４３を枠１１，１２，１３，１４に取り付けるようにしているが、第二取付部３３，４３を障子２０の框２２，２３，２４，２５に取り付けるようにしても良い。
【００５８】
さらに、上述した実施の形態では、カム機構９０の動作によって枠体１０に対して障子２０を見込み方向に移動させるようにしているが、カム機構９０は必ずしも設ける必要はない。なお、カム機構９０を設ける場合に上述した実施の形態では、カム９１を障子２０に取り付けるようにしているが、カムフォロア９２を障子２０に取り付けるようにしても構わない。
【００５９】
またさらに、上述した実施の形態では、枠体１０と障子２０との間にローラガイド機構５０を設けるようにしているが、ローラガイド機構５０は必ずしも設ける必要はない。なお、ローラガイド機構５０を設ける場合に上述した実施の形態では、枠体１０にガイドローラ５２を設けるとともに、障子２０にローラ受け５１を設けるようにしているが、逆の態様でローラガイド機構５０を構成しても良い。また、上枠１１と上框２２との間に設けたローラガイド機構５０は、下枠１２と下框２３との間にのみ設けるようにしても良いし、上枠１１と上框２２との間及び下枠１２と下框２３との間の双方に設けても構わない。      
【００６０】
さらに、上述した実施の形態では、全半開選択機構及びストッパアームを設けるようにしているため、操作者の意に反して障子が過剰に開かれる事態を未然に防止することができるが、これらは必ずしも設ける必要はない。
【符号の説明】
【００６１】
１０  枠体、１２  下枠、１３，１４  縦枠、２０  障子、２４，２５  縦框、３０  上方ヒンジ、３１  ヒンジ軸、３２  第一取付部、３３  第二取付部、３３ａ  ガイド孔、３４  スライドガイド、４０  下方ヒンジ、４１  ヒンジ軸、４２  第一取付部、４２ａ  摺動孔、４３  第二取付部、４３ａ  ガイド孔、４４  スライドガイド、５０  ローラガイド機構、５１  ローラ受け、５２  ガイドローラ、７０  ハンドルレバー、８０  連動部材、９０  カム機構、９１  カム、９１ａ  カム溝、９２  カムフォロア
【図１】
2017048634.tif 000003
【図２】
2017048634.tif 000004
【図３】
2017048634.tif 000005
【図４】
2017048634.tif 000006
【図５】
2017048634.tif 000007
【図６】
2017048634.tif 000008
【図７】
2017048634.tif 000009
【図８】
2017048634.tif 000010
【図９】
2017048634.tif 000011
【図１０】
2017048634.tif 000012
【図１１】
2017048634.tif 000013
【図１２】
2017048634.tif 000014
【図１３】
2017048634.tif 000015
【図１４】
2017048634.tif 000016
【図１５】
2017048634.tif 000017
【図１６】
2017048634.tif 000018
【図１７】
2017048634.tif 000019
【図１８】
2017048634.tif 000020
【図１９】
2017048634.tif 000021
【図２０】
2017048634.tif 000022